(57)【特許請求の範囲】
【請求項１】
撮影装置の縦姿勢および横姿勢を検出する縦横姿勢検出手段と、
前記縦横姿勢検出手段により検出された撮影装置の縦横姿勢から撮影画像の上下方向の情報を取得する上下情報取得手段と、
前記上下情報取得手段によって取得された上下方向の情報を撮影画像に付加する情報付加手段と
を備えた撮影装置において、
被写体光が撮影装置に入射する方向の撮影光軸が鉛直方向に向けられていることを検出する鉛直検出手段と、
前記鉛直検出手段により、撮影光軸が鉛直方向に向けられていることが検出された場合、前記縦横姿勢検出手段による縦横姿勢検出処理を無効にする無効手段と、
前記鉛直検出手段により撮影光軸が鉛直方向に向けられていることが検出された場合、被写体の特定のパターンを検出することによって撮影画像の上下方向の情報を自動的に取得する上下情報自動取得手段と、
前記鉛直検出手段により撮影光軸が鉛直方向に向けられていることが検出された場合、操作部材に対する操作に基づいて撮影画像の上下方向の情報を取得する上下情報手動取得手段と、
前記鉛直検出手段により撮影光軸が鉛直方向に向けられていることが検出された場合、鉛直方向において被写体光が入射する向きに基づいて、前記上下情報自動取得手段または前記上下情報手動取得手段の何れか一方に撮影画像の上下方向の情報を取得させる選択手段と
を備える撮影装置。
【請求項２】
撮影装置の縦姿勢および横姿勢を検出する縦横姿勢検出手段と、
前記縦横姿勢検出手段により検出された撮影装置の縦横姿勢から撮影画像の上下方向の情報を取得する上下情報取得手段と、
前記上下情報取得手段によって取得された上下方向の情報を撮影画像に付加する情報付加手段と
を備えた撮影装置において、
被写体光が撮影装置に入射する方向の撮影光軸が鉛直方向に向けられていることを検出する鉛直検出手段と、
前記鉛直検出手段により、撮影光軸が鉛直方向に向けられていることが検出された場合、前記縦横姿勢検出手段による縦横姿勢検出処理を無効にする無効手段と、
前記鉛直検出手段により撮影光軸が鉛直方向に向けられていることが検出された場合、被写体の特定のパターンを検出することによって撮影画像の上下方向の情報を自動的に取得する上下情報自動取得手段と、
前記鉛直検出手段により撮影光軸が鉛直方向に向けられていることが検出された場合、操作部材に対する操作に基づいて撮影画像の上下方向の情報を取得する上下情報手動取得手段と、
前記上下情報自動取得手段および前記上下情報手動取得手段の両方によって撮影画像の上下方向の情報が取得された場合、前記上下情報手動取得手段によって取得された撮影画像の上下方向の情報を優先して採用する選択手段と
を備える撮影装置。
【請求項３】
請求項２に記載の撮影装置において、
前記上下情報手動取得手段は、タッチパネルに対する操作に基づいて撮影画像の上下方向の情報を取得することを特徴とする撮影装置。
【発明の詳細な説明】
【技術分野】
【０００１】
本発明は、撮影装置の縦姿勢および横姿勢を検出し、検出した撮影装置の縦横姿勢から撮影画像の上下方向の情報を取得する撮影装置に関する。
【背景技術】
【０００２】
従来、この種の撮影装置としては、例えば、特許文献１に開示されたカメラがある。このカメラは、カメラの姿勢を検知する姿勢検知手段を備え、撮影時においては、姿勢検知手段によって撮影時のカメラの姿勢状態を検知し、その検知結果を、その撮影時に得られた撮影画像データと共に記録媒体に記録する。撮影画像データを再生するときには、その再生時のカメラの姿勢状態を検知し、その検知結果と記録媒体に記録された撮影時の姿勢状態とが合致しているかを判定する。この判定の結果が合致していなかった場合には、撮影画像データが正しい方向で表示されるように、撮影画像データに対して画像回転処理を行う。従って、カメラで撮影した画像を再生した時に、縦位置で撮影された画像と横位置で撮影された画像とが混ざっている場合、縦位置で撮影された画像の天地が正しくなるように表示される。
【先行技術文献】
【特許文献】
【０００３】
【特許文献１】特開２０００−３１２３２９号公報
【発明の概要】
【発明が解決しようとする課題】
【０００４】
しかしながら、特許文献１に開示された従来のカメラは、カメラの姿勢検知手段が重力を元にカメラの姿勢を検知する。このため、撮影者がカメラを天空に向けて撮影していたり、カメラを地面に向けて撮影していて、カメラの撮影光軸が鉛直方向に向けられている場合、撮影画像における縦位置または横位置の検出が正確にできず、鉛直方向を向いたカメラのわずかな傾きを重力を元に姿勢検知手段が検出して、撮影画像の縦位置または横位置の誤った情報が取得されてしまう。
【課題を解決するための手段】
【０００５】
本発明はこのような課題を解決するためになされたもので、
撮影装置の縦姿勢および横姿勢を検出する縦横姿勢検出手段と、
縦横姿勢検出手段により検出された撮影装置の縦横姿勢から撮影画像の上下方向の情報を取得する上下情報取得手段と、
上下情報取得手段によって取得された上下方向の情報を撮影画像に付加する情報付加手段と
を備えた撮影装置において、
被写体光が撮影装置に入射する方向の撮影光軸が鉛直方向に向けられていることを検出する鉛直検出手段と、
鉛直検出手段により、撮影光軸が鉛直方向に向けられていることが検出された場合、縦横姿勢検出手段による縦横姿勢検出処理を無効にする無効手段と、
鉛直検出手段により撮影光軸が鉛直方向に向けられていることが検出された場合、被写体の特定のパターンを検出することによって撮影画像の上下方向の情報を自動的に取得する上下情報自動取得手段と、
鉛直検出手段により撮影光軸が鉛直方向に向けられていることが検出された場合、操作部材に対する操作に基づいて撮影画像の上下方向の情報を取得する上下情報手動取得手段と、
鉛直検出手段により撮影光軸が鉛直方向に向けられていることが検出された場合、鉛直方向において被写体光が入射する向きに基づいて、上下情報自動取得手段または上下情報手動取得手段の何れか一方に撮影画像の上下方向の情報を取得させる選択手段と
を備えて撮影装置を構成した。
【０００６】
本構成によれば、鉛直検出手段により、撮影光軸が鉛直方向に向けられていることが検出された場合、無効手段により、縦横姿勢検出手段による縦横姿勢検出処理が無効にされる。従って、撮影光軸が鉛直方向に向けられていることが検出された場合、縦横姿勢検出手段が作動して、上下情報取得手段が、縦横姿勢検出手段により検出された撮影装置の縦横姿勢から撮影画像の上下方向の誤った情報を取得しなくなる。従って、情報付加手段により、上下情報取得手段によって取得された誤った上下方向の情報が撮影画像に付加されることがなくなる。このため、鉛直方向に向けられている撮影装置のわずかな傾きにより、実際の撮影画像の上下方向と異なる方向が撮影画像の上下方向として取得されて、情報付加手段により、この誤った上下方向の情報が撮影画像に付加されなくなる。この結果、撮影光軸が鉛直方向に向けられていることが検出された場合に、撮影画像の上下方向の誤った情報が取得される誤検出を防ぐことができる。
【００１２】
また、本構成によれば、鉛直検出手段により撮影光軸が鉛直方向に向けられていることが検出された場合、選択手段により、上下情報自動取得手段または上下情報手動取得手段の何れか一方で撮影画像の上下方向の情報が取得させられる。このため、撮影光軸が鉛直方向に向けられていることが検出された場合、被写体光が天空方向から入射するのか、地面方向から入射するのかの撮影状況に合わせて、上下情報自動取得手段または上下情報手動取得手段の何れか一方に撮影画像の上下方向の情報を取得させることができ、利便性よく撮影を行うことができる。
【発明の効果】
【００１３】
本発明による撮影装置によれば、上記のように、撮影光軸が鉛直方向に向けられていることが検出された場合に、撮影画像の上下方向の誤った情報が取得される誤検出を防ぐことができる。また、上下情報自動取得手段または上下情報手動取得手段の何れか一方に撮影画像の上下方向の情報を取得させることができ、利便性よく撮影を行うことができる。
【図面の簡単な説明】
【００１４】
【図１】本発明の一実施の形態によるデジタルカメラの外観の概略を示す正面斜視図および背面斜視図である。
【図２】図１に示すデジタルカメラの電気回路構成の概略を示すブロック図である。
【図３】図１に示すデジタルカメラの構えが横位置および縦位置である場合の背面図である。
【図４】図１に示すデジタルカメラの撮影光軸が水平方向および鉛直方向を向いている場合の側面図である。
【図５】図１に示すデジタルカメラのタッチパネル操作時の背面図である。
【図６】図１に示すデジタルカメラのＣＰＵによって行われる、撮影画像の上下方向の情報を取得する処理の概略を示すフローチャートである。
【発明を実施するための形態】
【００１５】
次に、本発明による撮影装置をデジタルカメラ１に適用した場合における一実施の形態について説明する。
【００１６】
図１（ａ）は、この一実施の形態によるデジタルカメラ１の外観の概略を示す正面斜視図である。
【００１７】
デジタルカメラ１は、カメラボディ２と、このカメラボディ２の前面に設けられた撮影用のレンズ３とから構成される。カメラボディ２の正面から見て左側には、撮影時に撮影者によって握られるグリップ部４が設けられている。このグリップ部４の上面には、撮影用のシャッターボタンであるレリーズボタン５が設けられている。このレリーズボタン５の右方のカメラボディ２の上面には、操作されるとデジタルカメラ１の内部の各回路に動作電源を供給させる電源ボタン６が設けられている。また、カメラボディ２の正面から見て右上側には、被写体が暗い場合に明るさを確保するためのフラッシュ７が備えられている。
【００１８】
図１（ｂ）は、デジタルカメラ１の外観の概略を示す背面斜視図である。なお、同図において図１（ａ）と同一部分には同一符号を付してその説明は省略する。
【００１９】
カメラボディ２の背面にはモニタ１１が設けられている。モニタ１１は、ＴＦＴ（Thin Film Transistor）液晶からなり、構図を確認するためのスルー画や、撮影情報などの各種情報を表示すると共に、撮影した画像を再生表示する。モニタ１１の表面にはタッチパネル機能を有するタッチパネル１２が配置されている。撮影者によるモニタ１１に対するタッチ操作は、タッチパネル１２により検出される。
【００２０】
モニタ１１の右側には、ズームボタン１３、および十字ボタン１４が配置されている。ズームボタン１３は、モニタ１１に表示される撮影画像を拡大、縮小表示させる際などに操作される。十字ボタン１４は、上下方向および左右方向といった操作方向を検出する方向キーからなり、デジタルカメラ１の各種設定を行うメニュー画面において、種々の設定項目の中から所望の設定項目を選択する際などに操作される。十字ボタン１４の内側には決定ボタン１５が設けられている。決定ボタン１５は、十字ボタン１４の操作によって選択された所望の設定項目を決定する際などに操作される。また、これらのボタンは、モニタ１１に表示されているメニュー画面において、モニタ１１のタッチパネル操作で代用することもできる。
【００２１】
図２は、デジタルカメラ１の電気回路構成の概略を示すブロック図である。
【００２２】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００２３】
被写体からの光は、光学系を構成するレンズ３を介してデジタルカメラ１内に取り込まれる。デジタルカメラ１内に取り込まれた被写体光は、撮像部２５の撮像面２５ａ上に被写体像を投影する。撮像部２５は、ＣＣＤ（Charge Coupled Device）やＣＭＯＳ（Complementary Metal Oxide Semiconductor）などからなり、撮像部２５の撮像面２５ａ上に結像した被写体像は、アナログの撮像信号に変換される。変換された撮像信号は、Ａ／Ｄ変換部２６においてデジタル信号に変換される。画像処理部２７は、Ａ／Ｄ変換部２６でデジタル信号に変換された撮像信号をバス２８を介して取得し、取得した撮像信号に対して、ホワイトバランス処理やガンマ補正などの画像処理を行い、撮影された画像の画像データを生成する。画像処理部２７によって生成された画像データは、ＣＰＵ２１により、圧縮処理が施されてバッファメモリ２３に一時格納されると共に、Ｉ／Ｆ部２９を介して、図示しないスロットに着脱される、記憶媒体を構成するメモリカード３０に記録される。
【００２４】
ＣＰＵ２１にはレリーズボタン５が接続されている。レリーズボタン５は、半押しされるとオートフォーカス機能を作動させてレンズ３を移動させ、全押しされると予め設定されたシャッター速度で図示しないシャッターを開かせ、被写体像を撮像部２５の撮像面２５ａに所定時間露光させて被写体の撮影を行わせる。ＣＰＵ２１は、モニタ１１に、撮像部２５の撮像面２５ａで撮像される被写体をスルー画として表示させる。また、モニタ１１の表示領域に対して行われるタッチ操作がタッチパネル１２によって検出されると、タッチパネル１２からタッチ操作検出信号が出力され、タッチ操作により入力される情報がＣＰＵ２１に送出される。
【００２５】
また、ＣＰＵ２１には、縦横センサ２４ａおよび鉛直センサ２４ｂが接続されている。縦横センサ２４ａは、デジタルカメラ１の姿勢が、図３（ａ）に示す横位置か、図３（ｂ）に示す縦位置かの、２次元における方向を検出する。鉛直センサ２４ｂは、デジタルカメラ１の撮影光軸Ｚが、図４（ａ）に示す水平方向か、図４（ｂ）に示す鉛直方向かの、２次元における方向を検出する。なお、図３および図４において、図面の紙面の上方向が天空方向、下方向が地面方向であり、これら各図において、図１と同一部分には同一符号を付してその説明は省略する。縦横センサ２４ａおよび鉛直センサ２４ｂは、それぞれ、例えば、収納体内に収納されたコロの転動位置を検出することでデジタルカメラ１の各姿勢を検出し、検出したデジタルカメラ１の各姿勢に関する情報をＣＰＵ２１に伝える。縦横センサ２４ａは、デジタルカメラ１の縦姿勢および横姿勢を検出する縦横姿勢検出手段を構成する。また、鉛直センサ２４ｂは、被写体光がデジタルカメラ１に入射する方向の撮影光軸Ｚが鉛直方向に向けられていることを検出する鉛直検出手段を構成する。
【００２６】
デジタルカメラ１を図４（ａ）に示すように水平に構えて撮影する場合、縦横センサ２４ａでデジタルカメラ１の姿勢が図３（ａ）に示す横位置であるか図３（ｂ）に示す縦位置であるかが検出され、ＣＰＵ２１は、その検出結果から画像の上下方向情報を撮影された画像に付加し、メモリカード３０に記録する。再生時には、メモリカード３０から読み出したこの上下方向情報に従い、使用者から見て正位置になるように自動的に画像を回転処理してモニタ１１に再生表示する。ＣＰＵ２１は、縦横センサ２４ａにより検出されたデジタルカメラ１の縦横姿勢から撮影画像の上下方向の情報を取得する上下情報取得手段を構成すると共に、上下情報取得手段によって取得された上下方向の情報を撮影画像に付加する情報付加手段を構成する。
【００２７】
また、デジタルカメラ１を図４（ｂ）に示すように地面の向きに向けて撮影する場合には、わずかなデジタルカメラ１の傾き具合により、縦横センサ２４ａを構成する収納体内のコロが転動し、縦位置で撮影しているのに横位置で撮影していると、縦横センサ２４ａが誤検出する可能がある。このため、本実施形態では、ＣＰＵ２１は、デジタルカメラ１の撮影光軸Ｚが図４（ｂ）に示すように鉛直方向を向いている場合、縦横センサ２４ａによる姿勢検出をキャンセルして、縦横センサ２４ａの誤検出を防ぐ。ＣＰＵ２１は、鉛直センサ２４ｂにより、撮影光軸Ｚが鉛直方向に向けられていることが検出された場合、縦横センサ２４ａによる縦横姿勢検出処理を無効にする無効手段を構成する。
【００２８】
また、ＣＰＵ２１は、撮像部２５によって撮像される人物の顔、指や文字（例えば、数字やアルファベット）などの特定のパターンから画像解析を行い、撮影画像の上下方向を決定する機能を有している。例えば、撮影される撮影者の指の指し示す方向や、撮影される人物の顔、文字などが正位置となる方向を撮影画像の上方向としてパターン解析を行うことにより、撮影画像の上下方向を決定する。ＣＰＵ２１は、鉛直センサ２４ｂにより撮影光軸Ｚが鉛直方向に向けられていることが検出された場合、被写体の特定のパターンを検出することによって撮影画像の上下方向の情報を自動的に取得する上下情報自動取得手段を構成する。
【００２９】
図５はデジタルカメラ１のタッチパネル操作時の背面図である。なお、同図において図１と同一部分には同一符号を付してその説明は省略する。
【００３０】
タッチパネル１２は、スルー画を表示するスルー画表示領域１２ａと、撮影画像の上下方向を指定できる方向指定領域１２ｂとからなる。タッチパネル１２に表示されているスルー画の撮影画像における上方向を決定したい場合、方向指定領域１２ｂの４つの辺の内、上方向にしたいスルー画の上方にある辺を指４０でタッチすることにより、撮影画像の上下方向を指定することができる。従って、デジタルカメラ１の撮影光軸Ｚが鉛直方向に向けられており、縦横センサ２４ａおよび鉛直センサ２４ｂにより撮影画像の上下方向を決定できない場合でも、タッチパネル１２で画像の上下方向を指定することにより、撮影画像の上下方向を簡単に指定することができる。ＣＰＵ２１は、鉛直センサ２４ｂにより撮影光軸Ｚが鉛直方向に向けられていることが検出された場合、操作部材であるタッチパネル１２に対する操作に基づいて撮影画像の上下方向の情報を取得する上下情報手動取得手段を構成する。
【００３１】
なお、撮影画像の上下方向を指定できる方向指定領域１２ｂの代わりに、撮影画像の上下方向を指定できる専用のアイコンをタッチパネル１２に表示させて、この専用のアイコンをタッチ操作することにより、撮影画像の上下方向を指定することができる構成としてもよい。
【００３２】
また、タッチパネル１２の代わりに、十字ボタン１４で撮影画像の上下方向を指定するように構成してもよい。例えば、モニタ１１に表示されているスルー画の上方向に対応する向きに十字ボタン１４を押すことにより、撮影画像の上方向が決定される。
【００３３】
また、通常、モニタ１１上にタッチパネル１２を備えるデジタルカメラ１は、タッチパネル１２をタッチすることで、タッチした箇所にピント合わせを行うなどの機能を有する。これとの競合を防ぐために、例えばデジタルカメラ１が鉛直方句に向いている時にだけ、上述した方向指定領域１２ｂをモニタ１１上に表示させて、表示させた方向指定領域１２ｂがタッチされることで、撮影画像の上下方向が指定されるように構成してもよい。また、タッチパネル１２をタッチしてすぐ離す場合と長秒時間タッチする場合とで、上述したタッチした箇所にピント合わせを行うなどの機能と、撮影画像の上下方向を指定する機能とを切り換える構成としてもよい。
【００３４】
図６は、デジタルカメラ１のＣＰＵ２１によって行われる、撮影画像の上下方向の情報を取得する処理の概略を示すフローチャートである。
【００３５】
ＣＰＵ２１は、ステップ（以下、Ｓと記す）１において、鉛直センサ２４ｂの検出結果により、デジタルカメラ１の撮影光軸Ｚが図４（ｂ）に示すように鉛直方向を向いているか否かを判別する。デジタルカメラ１の撮影光軸Ｚが鉛直方向を向いておらず、Ｓ１の判別が“ＮＯ”の場合、ＣＰＵ２１は、Ｓ２において、縦横センサ２４ａでデジタルカメラ１の向きが図３（ａ）に示す横位置か図３（ｂ）に示す縦位置であるかを検出する。そして、Ｓ３において、この縦横センサ２４ａにより検出されたデジタルカメラ１の向きを採用して、撮影画像の上下方向を決定する。
【００３６】
一方、デジタルカメラ１の撮影光軸Ｚが鉛直方向を向いており、Ｓ１の判別が“ＹＥＳ”の場合、Ｓ４において、ＣＰＵ２１は、縦横センサ２４ａの機能を無効にする。次にＣＰＵ２１は、Ｓ５において、撮像部２５に撮像されている被写体の画像から、人物の顔、指先や文字などのパターン検出を試みる。次にＣＰＵ２１は、Ｓ６において、顔、指先や文字などのパターンが検出できたか否かを判別する。顔、指先や文字などのパターンが検出できず、Ｓ６の判別が“ＮＯ”の場合、Ｓ７において、ＣＰＵ２１は、図５で上述したタッチパネル１２の操作により、撮影画像の上下方向を指定する向き入力があるか否かを判別する。タッチパネル１２による向き入力が行われておらず、Ｓ７の判別が“ＮＯ”の場合、Ｓ８で、ＣＰＵ２１は、向きの情報は無いものとし、撮影画像の上下方向の情報を取得する処理を終了する。
【００３７】
一方、ＣＰＵ２１は、顔、指先や文字などのパターンが検出され、Ｓ６の判別が“ＹＥＳ”の場合、Ｓ９において、顔、指先や文字などのパターンから、撮影画像の上下方向を指定する向きを算出し、この算出した向きを仮の向きとして仮決定する。次に、Ｓ１０において、上述したタッチパネル１２の操作により、撮影画像の上下方向を指定する向き入力があるか否かを判別する。タッチパネル１２の向き入力が行われず、Ｓ１０の判別が“ＮＯ”の場合、ＣＰＵ２１は、Ｓ１１において、Ｓ９で仮決定した、顔、指先や文字などのパターンの検出から算出された向きを正式な検出向きとして採用し、撮影画像の上下方向を決定する。一方、Ｓ７またはＳ１０において、タッチパネル１２の向き入力が行われ、Ｓ７またはＳ１０の判別が“ＹＥＳ”の場合、ＣＰＵ２１は、Ｓ１２において、タッチパネル１２の入力による検出向きを採用し、撮影画像の上下方向を決定する。
【００３８】
このような本実施形態によるデジタルカメラ１によれば、鉛直センサ２４ｂにより、撮影光軸Ｚが鉛直方向に向けられていることが図６、Ｓ１の処理で検出された場合、無効手段により、縦横センサ２４ａによる縦横姿勢検出処理がＳ４で無効にされる。従って、撮影光軸Ｚが鉛直方向に向けられていることがＳ１で検出された場合、縦横センサ２４ａが作動して、上下情報取得手段が、縦横センサ２４ａにより検出されたデジタルカメラ１の縦横姿勢から撮影画像の上下方向の誤った情報を取得しなくなる。従って、情報付加手段により、上下情報取得手段によって取得された誤った上下方向の情報が撮影画像に付加されることがなくなる。このため、鉛直方向に向けられているデジタルカメラ１のわずかな傾きにより、実際の撮影画像の上下方向と異なる方向が撮影画像の上下方向として取得されて、情報付加手段により、この誤った上下方向の情報が撮影画像に付加されなくなる。この結果、撮影光軸Ｚが鉛直方向に向けられていることが検出された場合に、撮影画像の上下方向の誤った情報が取得される誤検出を防ぐことができる。
【００３９】
また、本実施形態によるデジタルカメラ１によれば、鉛直センサ２４ｂにより撮影光軸Ｚが鉛直方向に向けられていることがＳ１で検出された場合、無効手段により縦横センサ２４ａによる縦横姿勢検出処理がＳ４で無効にされて、上下情報自動取得手段により、被写体の特定のパターンがＳ５で検出されて、撮影画像の上下方向の情報が自動的に取得される。このため、鉛直センサ２４ｂにより撮影光軸Ｚが鉛直方向に向けられていることがＳ１で検出された場合、縦横センサ２４ａの検出処理が無効手段によってＳ４で無効にされても、上下情報自動取得手段により、被写体の特定のパターンがＳ５で検出されることによって撮影画像の上下方向の情報が正確に取得される。
【００４０】
また、本実施形態によるデジタルカメラ１によれば、鉛直センサ２４ｂにより撮影光軸Ｚが鉛直方向に向けられていることがＳ１で検出された場合、無効手段により縦横センサ２４ａによる縦横姿勢検出処理がＳ４で無効にされて、上下情報手動取得手段により、タッチパネル１２に対する操作に基づいて撮影画像の上下方向の情報がＳ１２で取得される。このため、鉛直センサ２４ｂにより撮影光軸Ｚが鉛直方向に向けられていることが検出された場合、縦横センサ２４ａの検出処理が無効手段によって無効にされても、上下情報手動取得手段により、撮影者のタッチパネル１２に対する操作に基づいて撮影画像の上下方向の情報が取得される。また、撮影者のタッチパネル１２に対する操作により、撮影者の好みに合わせて撮影画像の上下方向の情報を撮影画像に付加することができる。
【００４１】
なお、上記実施形態では、ＣＰＵ２１は、上下情報自動取得手段よりも上下情報手動取得手段を優先させ、上述したように、タッチパネル１２の操作によるＳ１２の検出向きを優先して、撮影画像の上下方向を決定した。しかし、鉛直センサ２４ｂにより撮影光軸Ｚが鉛直方向に向けられていることが検出された場合、鉛直方向において被写体光が入射する向きに基づいて、上下情報自動取得手段または上下情報手動取得手段の何れか一方に撮影画像の上下方向の情報を取得させる選択手段を、ＣＰＵ２１が構成するようにしてもよい。この場合、ＣＰＵ２１は、例えば、デジタルカメラ１がレンズ３を上方にして台上に載置され、タッチパネル１２や十字ボタン１４などを撮影者が操作できない場合、鉛直センサ２４ｂにより撮影光軸Ｚが鉛直方向に向けられ、かつ、鉛直方向において被写体光が入射する向きが天空側であることを検知することで上下情報自動取得手段を選択し、上述した上下情報自動取得手段により、撮影画像の上下方向の情報を取得する。また、ＣＰＵ２１は、例えば、デジタルカメラ１がレンズ３を下方にして撮影者によって持たれ、タッチパネル１２や十字ボタン１４などを撮影者が操作できる場合、鉛直センサ２４ｂにより撮影光軸Ｚが鉛直方向に向けられ、かつ、鉛直方向において被写体光が入射する向きが地面側であることを検出することで上下情報手動取得手段を選択し、上述した上下情報手動取得手段により、撮影画像の上下方向の情報を取得する。
【００４２】
このような構成によるデジタルカメラ１によれば、鉛直センサ２４ｂにより撮影光軸Ｚが鉛直方向に向けられていることが検出された場合、選択手段により、上下情報自動取得手段または上下情報手動取得手段の何れか一方で撮影画像の上下方向の情報が取得させられる。このため、撮影光軸Ｚが鉛直方向に向けられていることが検出された場合、被写体光が天空方向から入射するのか、地面方向から入射するのかの撮影状況に合わせて、上下情報自動取得手段または上下情報手動取得手段の何れか一方に撮影画像の上下方向の情報を取得させることができ、利便性よく撮影を行うことができる。
【００４３】
また、本実施形態では、デジタルカメラ１の縦姿勢および横姿勢を２軸の方向で検出する縦横センサ２４ａ、およびデジタルカメラ１の鉛直および水平方向を２軸の方向で検出する鉛直センサ２４ｂの２つのセンサを用いて、デジタルカメラ１の姿勢を検出していた。しかし、縦横センサ２４ａおよび鉛直センサ２４ｂの代わりに、３軸の方向ですべての向きを検出する１つの３軸センサや、デジタルカメラ１を持つ撮影者の手振れ検出用の加速度センサ等を用いて、デジタルカメラ１の姿勢を検出する構成でもよい。また、デジタルカメラ１の側面をたたいて振動を与えて、振動を与えた方向や位置などを撮影画像の上方向として、撮影画像の上下方向を決定する構成であってもよい。このような構成でも上記実施形態と同様な作用効果が奏される。
【産業上の利用可能性】
【００４４】
上記実施形態においては、本発明の撮影装置をデジタルカメラに適用した場合について説明したが、ビデオカメラや、携帯電話機等に内蔵されるカメラ等のその他の撮影装置にも適用することが可能である。このような撮影装置に本発明を適用した場合においても、上記実施形態と同様な作用効果が奏される。
【符号の説明】
【００４５】
１…デジタルカメラ
１１…モニタ
１２…タッチパネル
２１…ＣＰＵ
２４ａ…縦横センサ
２４ｂ…鉛直センサ
【図１】
0005471133.tif 000002
【図２】
0005471133.tif 000003
【図３】
0005471133.tif 000004
【図４】
0005471133.tif 000005
【図５】
0005471133.tif 000006
【図６】
0005471133.tif 000007